(57)【特許請求の範囲】
【請求項１】
７箇所の交差部（１６）で交差する複数本の右上がり傾斜リンク（１７）と左上がり傾斜リンク（１８）とをその交差部（１６）でピン軸（２１〜２３）により枢着して扉体（１３）を構成し、該扉体（１３）の一端側の４箇所の交差部（１６）の内、下から２番目の交差部（１６）を固定ピン軸（２１）により、他の交差部（１６）を上下方向に摺動自在な可動ピン軸（２２）により夫々吊り元側端枠（１４）に取り付けた吊り下げ式の伸縮門扉において、前記７箇所の交差部（１６）の上から２番目の交差部（１６）を除く各交差部（１６）はピン軸（２１〜２３）により枢着し、各傾斜リンク（１７，１８）上の隣接するピン軸（２１〜２３）相互のピン軸間距離（Ｖ〜Ｚ）の内、下から３番目と２番目とのピン軸間距離（Ｘ，Ｙ）は略同じとし、最下部のピン軸間距離（Ｚ）は前記２番目のピン軸間距離（Ｙ）よりも長くし、下から４番目のピン軸間距離（Ｗ）は前記３番目のピン軸間距離（Ｘ）よりも短くし、最上部のピン軸間距離（Ｖ）は前記４番目のピン軸間距離（Ｗ）の略２倍若しくは２倍よりも短くしたことを特徴とする吊り下げ式の伸縮門扉。
【発明の詳細な説明】
【０００１】
【発明の属する技術分野】
本発明は、吊り下げ式の伸縮門扉に関し、扉体の伸長状態での移動端側の垂れ下がりを防止できるようにしたものである。
【０００２】
【従来の技術】
特開平９−１７７４５５号公報に記載の吊り下げ式の伸縮門扉は、図９に示すように、７箇所の交差部１で交差する複数本の右上がり傾斜リンク２と左上がり傾斜リンク３とをその交差部１でピン軸４により枢着して扉体５を構成し、この扉体５の一端側を吊り元側支柱等の取り付け部に取り付けている。
【０００３】
そして、扉体５は上下中央の交差部１を除く各交差部１で両傾斜リンク２，３をピン軸４により枢着すると共に、各傾斜リンク２，３上の隣接するピン軸４相互のピン軸間距離Ａ〜Ｅの内、扉体５の上部のピン軸間距離Ａを下部のピン軸間距離Ｅよりも短くして、扉体５を伸長状態にした場合でも、その移動端側の垂れ下がりを防止するようにしている。なお、６は縦枠材である。
【０００４】
【発明が解決しようとする課題】
この従来の伸縮門扉は、各傾斜リンク２，３の上下中央の交差部１のピン軸４を省略し、各傾斜リンク２，３上の隣り合うピン軸間距離をＡ＝１７０ｍｍ、Ｂ＝１７１ｍｍ、Ｃ＝３４５ｍｍ、Ｄ＝１７４ｍｍ、Ｅ＝１７５ｍｍとしている。従って、扉体５には図１０に示すように２個の大きな四節リンクａｄｊｆ，ｅｉｎｋと、２個の小さい四節リンクａｂｅｃ，ｊｌｎｍとが形成されており、この４個の四節リンクａｄｊｆ，ｅｉｎｋ，ａｂｅｃ，ｊｌｎｍで扉体５の移動端側の垂れ下がりを防止するようになっている。
【０００５】
しかし、各傾斜リンク２，３のピン軸間距離は、扉体５の上部ほど短くしているにも拘わらず、扉体５の最上部に短いリンクにより構成された小さい四節リンクａｂｅｃがあり、その四節リンクａｂｅｃの上側の二辺ａ−ｂ，ｃ−ａのピン軸間距離Ａが１７０ｍｍ、下側の二辺ｂ−ｅ，ｅ−ｃのピン軸間距離Ｂが１７１ｍｍとなっているため、ピン軸間距離の長い部分で四節リンクを構成する場合に比較して、製作時の誤差等の影響によるバラツキが大きくなる欠点がある。
【０００６】
また短いリンクで構成される２個の小さい四節リンクａｂｅｃ，ｊｌｎｍを扉体５の上下両側に配置しているため、扉体５の移動端側の垂れ下がりを防止できるものの、扉体５自体の上下方向の弾性変形が少なく、伸長状態の扉体５の移動端側を誤って下方に押し下げたような場合には、扉体５又は扉体５を構成する傾斜リンク２，３の一部が塑性変形して損傷し、元の状態に戻らなくなる等の問題がある。
【０００７】
本発明は、このような従来の問題点に鑑み、製作時の誤差等の影響によるバラツキを極力少なくできると共に、扉体を誤って押し下げた場合にもその損傷を防止できる吊り下げ式の伸縮門扉を提供することを目的とする。
【０００８】
【課題を解決するための手段】
本発明は、７箇所の交差部１６で交差する複数本の右上がり傾斜リンク１７と左上がり傾斜リンク１８とをその交差部１６でピン軸２１〜２３により枢着して扉体１３を構成し、該扉体１３の一端側の４箇所の交差部１６の内、下から２番目の交差部１６を固定ピン軸２１により、他の交差部１６を上下方向に摺動自在な可動ピン軸２２により夫々吊り元側端枠１４に取り付けた吊り下げ式の伸縮門扉において、前記７箇所の交差部１６の上から２番目の交差部１６を除く各交差部１６はピン軸２１〜２３により枢着し、各傾斜リンク１７，１８上の隣接するピン軸２１〜２３相互のピン軸間距離Ｖ〜Ｚの内、下から３番目と２番目とのピン軸間距離Ｘ，Ｙは略同じとし、最下部のピン軸間距離Ｚは前記２番目のピン軸間距離Ｙよりも長くし、下から４番目のピン軸間距離Ｗは前記３番目のピン軸間距離Ｘよりも短くし、最上部のピン軸間距離Ｖは前記４番目のピン軸間距離Ｗの略２倍若しくは２倍よりも短くしたものである。
【０００９】
【発明の実施の形態】
以下に、本発明の実施形態を図面に基づいて詳述する。図１〜図３は本発明の吊り下げ式伸縮門扉の第１の実施形態を例示する。この吊り下げ式伸縮門扉は図１に示すように、出入り口等の左右両側で地面１０に立設された吊り元側支柱１１及び戸当たり側支柱１２と、これらの両支柱１１，１２間に左右方向に伸縮自在に配置され且つ一端側が吊り元側支柱１１に取り付けられた扉体１３とを備えている。
【００１０】
各扉体１３は、一端側に配置された上下方向の吊り元側端枠１４と、他端側に配置された上下方向の戸当たり側端枠１５と、両端枠１４，１５間に配置され且つ交差部１６で交差する複数本の右上がり傾斜リンク１７及び左上がり傾斜リンク１８と、両端枠１４，１５間に等間隔を置いて上下方向に配置され且つ両傾斜リンク１７，１８に連結された複数本の縦枠材１９とを有し、出入り口等の開閉方向（左右方向）に伸縮自在に構成されている。中間の縦枠材１９には落とし棒が設けられている。
【００１１】
吊り元側端枠１４は、扉体１３を吊り元側支柱１１の背後等に旋回収納できるように、吊り元側支柱１１に対して縦方向のヒンジ２０廻りに回動自在に装着されている。戸当たり側端枠１５は把手、施錠手段等を備え、戸当たり側支柱１２に当接した閉状態で施錠手段により施錠可能である。なお、吊り元側端枠１４、戸当たり側端枠１５は縦枠材を兼用している。
【００１２】
傾斜リンク１７，１８には長短複数種類のものがあり、その複数種類の傾斜リンク１７，１８を組み合わせることにより、開閉方向に伸縮自在なパンタグラフ機構２６が構成されている。両端枠１４，１５及び縦枠材１９は上部が連結された側面視逆Ｕ字状であって、これらの内部にパンタグラフ機構２６が配置されている。
【００１３】
各傾斜リンク１７，１８の内、扉体１３の左右方向の中間の最長の傾斜リンク１７，１８は少なくとも５箇所、例えば７箇所の交差部１６で互いに交差し、また他の短い傾斜リンク１７，１８はその７箇所の交差部１６に対応する交差部１６で交差しており、扉体１３の上側から２番目の交差部１６を除く各交差部１６が固定ピン軸２１、可動ピン軸２２及び遊動ピン軸２３等の前後方向の各ピン軸２１〜２３により枢着されている。
【００１４】
固定ピン軸２１は傾斜リンク１７，１８上の下から３番目の交差部１６に設けられ、図２（Ａ）に縦枠材１９に対する枢着部分を示すように、各端枠１４，１５、縦枠材１９に前後に貫通して固定されている。また可動ピン軸２２は各端枠１４，１５、縦枠材１９に対応する交差部１６、即ち傾斜リンク１７，１８の上から１番目、３番目、５番目、７番目の奇数番目の交差部１６に設けられると共に、図２（Ｂ）に縦枠材１９に対する枢着部分を示すように、前後の摺動部材２４を介して各端枠１４，１５、縦枠材１９に上下方向に摺動自在に支持されている。
【００１５】
遊動ピン軸２３は、各端枠１４，１５を含む隣り合う縦枠材１９間の上下の交差部１６の内の上側を除く交差部１６、即ち傾斜リンク１７，１８の上から２番目、４番目、６番目の偶数番目の交差部１６の内の２番目を除く交差部１６に設けられている。なお、各ピン軸２１〜２３上には、両傾斜リンク１７，１８間又は各傾斜リンク１７，１８を挟んでスペーサ２５が套嵌されている。
【００１６】
傾斜リンク１７，１８の上から偶数番目の交差部１６の内、最上部の２番目の交差部１６にはピン軸が設けられておらず、この交差部１６では傾斜リンク１７，１８が前後に所定の間隔を置いて交差している。そして、この２番目の交差部１６を除く各交差部１６にピン軸２１〜２３が配置されている。
【００１７】
各傾斜リンク１７，１８上の隣接するピン軸２１〜２３相互のピン軸間距離Ｖ〜Ｚは、図３に示すように扉体１３の最下部のピン軸間距離Ｚがその上側にある中間の２つのピン軸間距離Ｘ，Ｙよりも若干長く、またこの２つのピン軸間距離Ｘ，Ｙはその上側のピン軸間距離Ｗよりも若干長くなっており、最上部のピン軸間距離Ｖがその下側のピン軸間距離Ｗの２倍よりも若干短くなっている。
【００１８】
因みに、この実施形態では、各傾斜リンク１７，１８にアルミ又はアルミ系合金の押し出し型材を使用し、図３に示すように各ピン軸間距離をＶ＝２９５ｍｍ、Ｗ＝１４８ｍｍ、Ｘ＝１４９ｍｍ、Ｙ＝１４９ｍｍ、Ｚ＝１５０ｍｍとして、中間の下側２個のピン軸間距離Ｘ，Ｙを同じ長さにしている。なお、図３の括弧内の数字はピン軸間距離Ｖ〜Ｚの長さを示し、その単位はｍｍである。
【００１９】
従って、各傾斜リンク１７，１８ともその対応する各ピン軸間距離Ｖ〜Ｚ同士は扉体１３の全体にわたって同じであり、また各端枠１１，１２を含む隣り合う縦枠材１９間では、扉体１３の上側のピン軸間距離Ｖ＝２９５ｍｍが最も短く、中間のピン軸間距離Ｗ＋Ｘ＝２９７ｍｍがその上側のピン軸間距離Ｖよりも若干長く、下側のピン軸間距離Ｙ＋Ｚ＝２９９ｍｍが最も長くなっている。そして、各傾斜リンク１７，１８は、各端枠１１，１２を含む隣り合う縦枠材１９間での交差部１６で、上側のピン軸間距離Ｗ，Ｙが下側のピン軸間距離Ｘ，Ｚよりも短くなるように遊動ピン軸２３で枢着されている。
【００２０】
このような構成の伸縮門扉では、各傾斜リンク１７，１８上の隣接するピン軸２１〜２３相互のピン軸間距離Ｖ〜Ｚの内、扉体１３の最下部のピン軸間距離Ｚをその中間部分のピン軸間距離Ｗ〜Ｙよりも若干長くし、最上部のピン軸間距離Ｖをその下側のピン軸間距離Ｗの２倍よりも若干短くしている。
【００２１】
このため各傾斜リンク１７，１８の弾性力によって、上側の１番目の左右の可動ピン軸２２間、２番目の左右の可動ピン軸２２間、左右の固定ピン軸２１間の夫々にその間隔を小さくする方向の力Ｐが作用し、下端の可動ピン軸２２間にその間隔を大きくする方向の力Ｑが作用するため、従来と同様に扉体１３を伸長状態にした場合でも、その移動端側の垂れ下がりを防止することができる。
【００２２】
即ち、扉体１３のパンタグラフ機構２６を見た場合、図３に示すように傾斜リンク１７，１８の各交差部１６の内、その上から２番目の交差部１６を除く各交差部１６にピン軸２１〜２３を設けているので、次のように６個の四節リンクを構成できる。扉体１３には上下２個の大きい四節リンクａｄｊｆ，ｅｉｎｋと、下部側の４個の小さい四節リンクｅｇｊｈ，ｊｌｎｍ，ｇｉｌｊ，ｈｊｍｋとが形成されており、この６個の四節リンクで互いに拘束して扉体１３の垂れ下がりを防止するようになっている。
【００２３】
従って、この場合には扉体１３の上部側に従来のような小さい四節リンクはないが、大きい四節リンクａｄｊｆ，ｅｉｎｋの扉体１３に対する位置、数は従来と同じであり、しかも４個の小さい四節リンクｅｇｊｈ，ｊｌｎｍ，ｇｉｌｊ，ｈｊｍｋが扉体１３の上下方向の中間部分から下部側に集中しているため、これらの６個の四節リンクとにより十分な拘束性を確保でき、従来と同様に扉体１３の垂れ下がりを防止することができる。
【００２４】
特に中間のピン軸間距離Ｘ，Ｙを同じにしているので、４個の小さい四節リンクｅｇｊｈ，ｊｌｎｍ，ｇｉｌｊ，ｈｊｍｋ相互間でも所定の拘束力を確保できる。しかも、小さい四節リンクｅｇｊｈ，ｊｌｎｍ，ｇｉｌｊ，ｈｊｍｋは、傾斜リンク１７，１８の下部側に集中しており、比較的長いリンクで構成できるため、製作時の誤差等の影響によるバラツキを少なくすることができる。
【００２５】
また扉体１３の上部のピン軸間距離Ｖが長く、傾斜リンク１７，１８のその部分にピン軸がないので、各傾斜リンク１７，１８がａ−ｄ，ｆ−ａ間で撓み易くなる。このため、伸縮途中に扉体１３を誤って押し下げたような場合にも、傾斜リンク１７，１８の上部側が弾性変形して扉体１３の損傷を防止することができる。
【００２６】
図４〜図６は本発明の第２の実施形態を例示する。なお、図５及び図６において、括弧内の数字はピン軸間距離Ｖ〜Ｚの長さを示し、その単位はｍｍである。この実施形態では、扉体１３を構成するパンタグラフ機構２６の各傾斜リンク１７，１８には、図４に示すように１４種類のリンクＬ１〜Ｌ１４が使用されている。各リンクＬ１〜Ｌ１４のピン軸間距離Ｖ〜Ｚは、図５に示す通りである。この実施形態の場合には、リンクＬ５とリンクＬ６は１０本であり、他の各リンクＬ１〜Ｌ４、Ｌ７〜Ｌ１４は夫々１本である。
【００２７】
このようなピン軸間距離Ｖ〜Ｚの各リンクＬ１〜Ｌ１４を傾斜リンク１７，１８に使用して扉体１３を構成した場合には、扉体１３の吊り元側近傍、特に吊り元側端枠１４から１番目の縦枠材１９と交差する長短の各傾斜リンク１７，１８の各ピン軸間距離Ｖ〜Ｚは、図６に示す関係になる。
【００２８】
リンクＬ７，Ｌ１４の最下部のピン軸間距離Ｚは１４７ｍｍであり、リンクＬ９，Ｌ１２の最下部のピン軸間距離Ｚが他のリンクＬ２，Ｌ４〜Ｌ６，Ｌ１０，Ｌ１１，Ｌ１３と同様に１５０ｍｍと長くなっているのに対して、それらよりも短く、しかもその上側のピン軸間距離Ｙ＝１４８ｍｍよりも短くなっている。
【００２９】
リンクＬ９，Ｌ１２のピン軸間距離Ｘ，Ｙは１４８ｍｍであり、リンクＬ７，Ｌ１０，Ｌ１１，Ｌ１４のピン軸間距離Ｘ，Ｙが他と同様に１４９ｍｍであるのに対してそれよりも短く、その上側のピン軸間距離Ｗと同じになっている。リンクＬ１０，Ｌ１１のピン軸間距離Ｗは１４９ｍｍであり、リンクＬ９，Ｌ１２，のピン軸間距離Ｗが他と同様に１４８ｍｍであるのに対してそれよりも長く、このリンクＬ１０，Ｌ１１のその下側のピン軸間距離Ｘと同じになっている。
【００３０】
またリンクＬ１０，Ｌ１１のピン軸間距離Ｖは２９６ｍｍ、リンクＬ８，Ｌ１３のピン軸間距離Ｖは２９８ｍｍであって、これら以外の他の各リンクのピン軸間距離Ｖが２９５ｍｍであるのに対して、それよりも長くなっている。
【００３１】
特に扉体１３の主要部分を構成する他の各リンクＬ１，Ｌ３，Ｌ５，Ｌ６，Ｌ１２，Ｌ１４のピン軸間距離Ｖ＝２９５ｍｍがその下側のピン軸間距離Ｗ＝１４８ｍｍの２倍よりも若干短いのに対して、リンクＬ１０，Ｌ１１のピン軸間距離Ｖ＝２９６ｍｍはその下側のピン軸間距離Ｗ＝１４９ｍｍの２倍よりも若干長く、他の各リンクＬ３，Ｌ４〜Ｌ６，Ｌ９，Ｌ１２〜Ｌ４のピン軸間距離Ｗ＝１４８ｍｍの２倍となっている。リンクＬ８，Ｌ１３のピン軸間距離Ｖ＝２９８ｍｍは、リンクＬ１０，Ｌ１１のピン軸間距離Ｖ＝２９６ｍｍよりも更に若干長くなっている。
【００３２】
従って、吊り元側端枠１４と１番目の縦枠材１９との間では、右上がり傾斜リンク１７の各ピン軸間距離Ｖ，Ｗ＋Ｘ，Ｙ＋Ｚ＝２９８ｍｍが、左上がり傾斜リンク１８の各ピン軸間距離Ｖ，Ｗ＋Ｘ，Ｙ＋Ｚ＝２９６ｍｍよりも長く、扉体１３の上下方向の中央で長い右上がり傾斜リンク１７と短い左上がり傾斜リンク１８とをその中央の遊動ピン軸２３で枢着し、下部で長い右上がり傾斜リンク１７と短い左上がり傾斜リンク１８とを、上側のピン軸間距離Ｙが長く下側のピン軸間距離Ｚが短くなるように遊動ピン軸２３で枢着している。
【００３３】
また第１番目の縦枠材１９と第２番目の縦枠材１９との間では、右上がり傾斜リンク１７の各ピン軸間距離Ｖ，Ｗ＋Ｘ，Ｙ＋Ｚ＝２９６ｍｍが、左上がり傾斜リンク１８の各ピン軸間距離Ｖ，Ｗ＋Ｘ，Ｙ＋Ｚ＝２９８ｍｍよりも短く、扉体１３の上下方向の中央で短い右上がり傾斜リンク１７と長い左上がり傾斜リンク１８とをその中央の遊動ピン軸２３で枢着し、下部で短い右上がり傾斜リンク１７と長い左上がり傾斜リンク１８とを、上側のピン軸間距離Ｙが長く下側のピン軸間距離Ｚが短くなるように可動ピン軸２２で枢着している。
【００３４】
このように扉体１３の主要部分である２番目の縦枠材１９と戸当たり側端枠１５の間の各傾斜リンク１７，１８のピン軸間距離Ｖ〜Ｚを第１の実施形態と同様にし、扉体１３の吊り元側端枠１４と２番目の縦枠材１９との間の吊り元側の近傍部分の各傾斜リンク１７，１９のピン軸間距離Ｖ〜Ｚを他と異なる長さ関係にすることにより、次のような利点がある。
【００３５】
即ち、吊り元側端枠１４と１番目の縦枠材１９との間では、右上がり傾斜リンク１７が長く、左上がり傾斜リンク１８が短くなっているので、１番目の縦枠材１９が戸当たり側へ傾く。また１番目の縦枠材１９と２番目の縦枠材１９との間では、右上がり傾斜リンク１７が短く、左上がり傾斜リンク１８が長くなっているので、２番目の縦枠材１９が戸当たり側へ傾く。この状態で扉体１３を吊り元側１１に取り付けると、荷重を与えなければ扉体１３の吊り元近傍は反り上がった状態になる。
【００３６】
また扉体１３の吊り元側近傍では、吊り元側端枠１４と１番目の縦枠材１９との左右方向の距離、及び１番目の縦枠材１９と２番目の縦枠材１９との左右方向の距離は、上から１番目の左右の可動ピン軸２２間、２番目の左右の可動ピン軸２２間、及びその下側の左右の固定ピン軸２１間が夫々小となり、最下部の可動ピン軸２２間が大となるため、全体として上部側よりも下部側が広くなる。
【００３７】
従って、扉体１３の吊り元側端枠１４と２番目の縦枠材１９との間の吊り元側の近傍部分の各傾斜リンク１７，１９のピン軸間距離Ｖ〜Ｚをこのような関係にすることによって、扉体１３の吊り元側近傍の支持強度が向上し、移動端側の垂れ下がりを確実に防止することができる。
【００３８】
図７は本発明の第３の実施形態を例示する。この伸縮門扉の扉体１３は、長い各傾斜リンク１７，１８が９箇所の交差部１６で交差し、短い各傾斜リンク１７，１８が長い傾斜リンク１７，１８の交差部１６に対応する交差部１６で交差するようにしている。この場合にも、上から２番目の交差部１６を除く各交差部１６をピン軸２１〜２３により枢着することにより、各実施形態と同様に実施することができる。なお、他の構成は、第１又は第２の実施形態と同様である。
【００３９】
図８は本発明の第４の実施形態を例示する。この伸縮門扉の扉体１３は、各傾斜リンク１７，１８を上から２番目と４番目との交差部１６を除く各交差部１６をピン軸２１〜２３により枢着している。他の構成は第１の実施形態と同様である。
【００４０】
この実施形態では、例えば１番目の可動ピン軸２２と２番目の可動ピン軸２２との間のピン軸間距離Ｖは２９５ｍｍ、２番目の可動ピン軸２２と固定ピン軸２１との間のピン軸間距離Ｗ＋Ｘは２９７ｍｍ、固定ピン軸２１と遊動ピン軸２３との間のピン軸間距離Ｙは１４９ｍｍ、遊動ピン軸２３と固定ピン軸２２との間のピン軸間距離Ｚは１５０ｍｍである。
【００４１】
従って、扉体１３の最下部のピン軸間距離Ｚが中間部分であるその上側のピン軸間距離Ｙよりも長く、また最上部のピン軸間距離Ｖがその下側のピン軸間距離Ｗ＋Ｘよりも短く、しかも最上部のピン軸間距離Ｖ及びピン軸間距離Ｗ＋Ｘがその下側側のピン軸間距離Ｙ，Ｚの２倍よりも夫々短くなっている。
【００４２】
この場合にも、扉体１３の移動端側の垂れ下がりを防止することができる。特に２番目及び４番目の交差部１６にピン軸がなく、扉体１３の最下部及びその上側を除くピン軸間距離Ｖ及びピン軸間距離Ｗ＋Ｘが共に長くなっているため、製作時の誤差等の影響によるバラツキを極力少なくできると共に、扉体１３を押し下げた場合にも弾性変形によりその損傷を防止できる。
【００４３】
なお、扉体１３には２個の大きい四節リンクａｄｊｆ，ｅｉｎｋと１個の小さい四節リンクｊｌｎｍとが上下方向に形成されている。
【００４４】
以上、本発明の各実施形態について詳述したが、本発明は各実施形態に限定されるものではなく、その他種々の態様で実施することができる。例えば、各実施形態では、右上がり傾斜リンク１７、左上がり傾斜リンク１８の他に縦枠材１９を備えた構造の扉体１３について例示しているが、縦枠材１９は省略しても良い。
【００４５】
また縦枠材１９を備えた扉体１３の場合には、長い傾斜リンク１７，１８が５箇所以上の奇数の交差部１６で交差し、縦枠材１９に対応する上下両側の交差部１６を可動ピン軸２２で縦枠材１９に対して上下摺動自在に案内するように構成することが望ましい。縦枠材１９がない扉体１３の場合には、長い傾斜リンク１７，１８が５箇所以上の交差部１６で交差すれば良い。従って、長い傾斜リンク同士が交差する交差部１６の数は奇数、偶数の何れでも良い。
【００４６】
各実施形態のピン軸間距離の寸法は、各ピン軸間距離の相対的な長短関係を示す一例に過ぎず、その寸法に限定されるものではない。従って、大きい寸法はピン軸間距離が長く、それよりも小さい寸法はピン軸間距離がそれよりも相対的に短いことを示すに過ぎない。
【００４７】
ピン軸間距離Ｖを除くピン軸間距離Ｗ〜Ｚは、扉体１３の吊り元側から戸当たり側の全体にわたって、扉体１３の下になる程長くなるように構成しても良い。またピン軸間距離Ｖは扉体１３の吊り元側から戸当たり側の全体にわたって、その下側のピン軸間距離Ｗの２倍又は２倍未満程度としても良い。扉体１３はパンタグラフ機構２６を上下方向に複数設けるものでも良い。
【００４８】
【発明の効果】
本発明によれば、７箇所の交差部１６で交差する複数本の右上がり傾斜リンク１７と左上がり傾斜リンク１８とをその交差部１６でピン軸２１〜２３により枢着して扉体１３を構成し、該扉体１３の一端側の４箇所の交差部１６の内、下から２番目の交差部１６を固定ピン軸２１により、他の交差部１６を上下方向に摺動自在な可動ピン軸２２により夫々吊り元側端枠１４に取り付けた吊り下げ式の伸縮門扉において、前記７箇所の交差部１６の上から２番目の交差部１６を除く各交差部１６はピン軸２１〜２３により枢着し、各傾斜リンク１７，１８上の隣接するピン軸２１〜２３相互のピン軸間距離Ｖ〜Ｚの内、下から３番目と２番目とのピン軸間距離Ｘ，Ｙは略同じとし、最下部のピン軸間距離Ｚは前記２番目のピン軸間距離Ｙよりも長くし、下から４番目のピン軸間距離Ｗは前記３番目のピン軸間距離Ｘよりも短くし、最上部のピン軸間距離Ｖは前記４番目のピン軸間距離Ｗの略２倍若しくは２倍よりも短くしているので、製作時の誤差等の影響によるバラツキを極力少なくできると共に、扉体１３を誤って押し下げた場合にも、扉体１３の損傷を防止することができる。
【図面の簡単な説明】
【図１】本発明の第１の実施形態を示す吊り下げ式伸縮門扉の正面図である。
【図２】（Ａ）は発明の第１の実施形態を示す固定ピン軸部の断面図、（Ｂ）は発明の第１の実施形態を示す可動ピン軸部の断面図である。
【図３】本発明の第１の実施形態を示す説明図である。
【図４】本発明の第２の実施形態を示す吊り下げ式伸縮門扉の正面図である。
【図５】本発明の第２の実施形態を示す各傾斜リンクの説明図である。
【図６】本発明の第２の実施形態を示す説明図である。
【図７】本発明の第３の実施形態を示す吊り下げ式伸縮門扉の扉体の正面図である。
【図８】本発明の第４の実施形態を示す吊り下げ式伸縮門扉の扉体の正面図である。
【図９】従来の吊り下げ式伸縮門扉の構成図である。
【図１０】従来の吊り下げ式伸縮門扉の説明図である。
【符号の説明】
１１  吊り元側支柱
１２  届当たり元側支柱
１３  扉体
１６  交差部
１７  右上がり傾斜リンク
１８  左上がり傾斜リンク
２１  固定ピン軸
２２  可動ピン軸
２３  遊動ピン軸
Ｖ〜Ｚ  ピン軸間距離
【図１】
0004004857.tif 000002
【図２】
0004004857.tif 000003
【図３】
0004004857.tif 000004
【図４】
0004004857.tif 000005
【図５】
0004004857.tif 000006
【図６】
0004004857.tif 000007
【図７】
0004004857.tif 000008
【図８】
0004004857.tif 000009
【図９】
0004004857.tif 000010
【図１０】
0004004857.tif 000011